(57)【要約】【課題】  パケットネットワークに負荷をかけることなく、また、回線を瞬断させることなく、回線エミュレーション装置に収容するＴＤＭ回線の回線構成を変更する。【解決手段】  回線構成の設定を一元管理する監視制御手段と、運用中の回線構成情報を設定する設定レジスタと変更後の回線構成情報を設定する設定レジスタとを含む送信側および受信側の回線エミュレーション装置で構成される。監視制御手段は、回線構成を変更するにあたって、変更後の情報を設定する設定レジスタに変更後の回線構成情報を設定する。送信側回線エミュレーション装置は、監視制御手段から変更トリガ通知を受信すると、運用情報を変更後の設定レジスタに切り替え、その切り替えを通知する変更フラグを付与したパケットを送信する。受信側回線エミュレーション装置は、受信パケットに変更フラグが付与されていることを識別すると、運用情報を変更後の設定レジスタに切り替える。【選択図】      図１
2014075633.tif 000002
【特許請求の範囲】
【請求項１】
ＴＤＭ（Time Division Multiplexing）回線を収容し、パケットネットワーク内を擬似回線で接続して前記ＴＤＭ回線の信号をパケットにカプセル化して送受信する回線エミュレーション装置の回線構成の設定を一元管理する監視制御手段と、
前記回線エミュレーション装置であって、運用中の前記ＴＤＭ回線の回線構成情報を設定する第１の設定レジスタと、構成を変更した後の前記ＴＤＭ回線の回線構成情報を設定する第２の設定レジスタとを含む送信側回線エミュレーション装置と、
前記回線エミュレーション装置であって、運用中の前記ＴＤＭ回線の回線構成情報を設定する第３の設定レジスタと、構成を変更した後の前記ＴＤＭ回線の回線構成情報を設定する第４の設定レジスタとを含む受信側回線エミュレーション装置と
を備え、
前記監視制御手段は、前記ＴＤＭ回線の回線構成を変更するにあたって、前記送信側回線エミュレーション装置の前記第２の設定レジスタと、前記受信側回線エミュレーション装置の前記第４の設定レジスタに、前記ＴＤＭ回線の変更後の回線構成情報を設定し、
前記送信側回線エミュレーション装置は、前記監視制御手段から前記ＴＤＭ回線の回線構成の切り替えを指示する変更トリガ通知を受信すると、回線構成の運用情報を前記第１の設定レジスタから前記第２の設定レジスタに切り替えて使用し、前記ＴＤＭ回線の回線構成の切り替えを通知する回線構成変更フラグを付与したパケットを生成して前記パケットネットワークに送信し、
前記受信側回線エミュレーション装置は、前記パケットネットワークから受信したパケットに前記回線構成変更フラグが付与されていることを識別すると、回線構成の運用情報を前記第３の設定レジスタから前記第４の設定レジスタに切り替えて使用する
ことを特徴とする回線エミュレーションシステム。
【請求項２】
前記回線構成変更フラグには、次のシーケンス番号を有するパケットから回線構成が変更される旨を通知する予告通知と、当該パケットより回線構成が変更されている旨を通知する構成変更通知が定義された構成変更トリガビットを含み、
前記受信側回線エミュレーション装置は、前記回線構成変更フラグの前記構成変更トリガビットに前記予告通知が設定されたパケットを受信した後に、前記構成変更トリガビットに前記構成変更通知が設定されたパケットを受信していない場合であっても、前記構成変更トリガビットに前記予告通知が設定されたパケットのシーケンス番号よりも老番のシーケンス番号が付与されたパケットを受信した場合は、回線構成の運用情報を前記第３の設定レジスタから前記第４の設定レジスタに切り替えて使用する
ことを特徴とする請求項１に記載の回線エミュレーションシステム。
【請求項３】
前記回線構成変更フラグには、前記第１の設定レジスタまたは前記第２の設定レジスタのいずれが運用に使用されているかを示す設定レジスタの運用面情報をさらに含み、
前記受信側回線エミュレーション装置は、前記回線構成変更フラグの前記構成変更トリガビットに前記構成変更通知が設定されたパケットを受信していない場合であっても、前記送信側回線エミュレーション装置の設定レジスタが前記第１の設定レジスタから前記第２の設定レジスタに切り替わったことを、前記回線構成変更フラグの前記運用面情報を参照して識別した場合は、回線構成の運用情報を前記第３の設定レジスタから前記第４の設定レジスタに切り替えて使用する
ことを特徴とする請求項２に記載の回線エミュレーションシステム。
【請求項４】
収容するＴＤＭ（Time Division Multiplexing）回線の運用中の回線構成情報を設定する第１の設定レジスタと、構成を変更した後の前記ＴＤＭ回線の回線構成情報を設定する第２の設定レジスタとを含み、パケットネットワーク内を擬似回線で接続して前記ＴＤＭ回線の信号をパケットにカプセル化して送信する送信側回線エミュレーション手段と、
運用中の前記ＴＤＭ回線の回線構成情報を設定する第３の設定レジスタと、構成を変更した後の前記ＴＤＭ回線の回線構成情報を設定する第４の設定レジスタとを含み、前記パケットネットワークからカプセル化したパケットを受信して前記ＴＤＭ回線の信号を出力する受信側回線エミュレーション手段と
を備え、
前記送信側回線エミュレーション手段は、
回線エミュレーション装置の回線構成の設定を一元管理する監視制御手段から前記ＴＤＭ回線の変更後の回線構成情報を受信すると、受信した変更後の回線構成情報を前記第２の設定レジスタに設定する送信側レジスタ設定手段と、
前記監視制御手段から、前記ＴＤＭ回線の回線構成の切り替えを指示する変更トリガ通知を受信すると、回線構成の運用情報を前記第１の設定レジスタから前記第２の設定レジスタに切り替え、前記パケットネットワークに送信するパケットに、前記ＴＤＭ回線の回線構成の切り替えを通知する回線構成変更フラグを付与する送信側レジスタ設定切替手段と、
を含み、
前記受信側回線エミュレーション手段は、
前記監視制御手段から前記ＴＤＭ回線の変更後の回線構成情報を受信すると、受信した変更後の回線構成情報を前記第４の設定レジスタに設定する受信側レジスタ設定手段と、
前記パケットネットワークから受信したパケットに前記回線構成変更フラグが付与されていることを識別すると、回線構成の運用情報を前記第３の設定レジスタから前記第４の設定レジスタに切り替える受信側レジスタ設定切替手段と
を含むことを特徴とする回線エミュレーション装置。
【請求項５】
前記送信側回線エミュレーション手段は、
収容するＴＤＭ回線のチャネル信号を時分割多重して回線単位にまとめて出力する時分割多重部と、前記時分割多重部が出力する回線単位の信号をフレーム多重して回線エミュレーションデータパケットに変換し、前記パケットネットワークで使用されるプロトコルに従ってカプセル化を行って前記パケットネットワークに出力するパケット生成部を含み、
前記時分割多重部と前記パケット生成部は、それぞれが前記第１の設定レジスタと前記第２の設定レジスタを備え、
前記時分割多重部は、前記監視制御手段から前記変更トリガ通知を受信すると、前記パケット生成部からのフレーム多重信号を受信するタイミングで、前記時分割多重部で使用する回線構成の運用情報を前記第１の設定レジスタから前記第２の設定レジスタに切り替え、設定レジスタを切り替えたことを通知する変更通知信号を前記パケット生成部に出力し、
前記パケット生成部は、前記時分割多重部から前記変更通知信号を受信すると、前記パケット生成部で使用する回線構成の運用情報を前記第１の設定レジスタから前記第２の設定レジスタに切り替え、生成するパケットに前記回線構成変更フラグを付与する
ことを特徴とする請求項４に記載の回線エミュレーション装置。
【請求項６】
前記受信側回線エミュレーション手段は、
前記カプセル化されたパケットのカプセルを解除し、パケットのフレーム多重を解除して回線単位の時分割多重信号として出力するパケット分離部と、前記パケット分離部が出力した回線単位の時分割多重信号の時分割分離を行い、収容する前記ＴＤＭ回線のチャネル信号を出力する時分割分離部を含み、
前記パケット分離部と前記時分割分離部は、それぞれが前記第３の設定レジスタと前記第４の設定レジスタを備え、
前記パケット分離部は、受信したパケットに付与された前記回線構成変更フラグを識別すると、前記パケット分離部で使用する回線構成の運用情報を前記第３の設定レジスタから前記第４の設定レジスタに切り替え、設定レジスタを切り替えたことを通知する変更通知信号を前記時分割分離部に出力し、
前記時分割分離部は、前記変更通知信号をパケット分離部から受信すると、次のフレーム分離信号を受信するタイミングで、前記時分割分離部で使用する回線構成の運用情報を前記第３の設定レジスタから前記第４の設定レジスタに切り替える
ことを特徴とする請求項５に記載の回線エミュレーション装置。
【請求項７】
前記回線構成変更フラグには、次のシーケンス番号を有するパケットから回線構成が変更される旨を通知する予告通知と、当該パケットより回線構成が変更されている旨を通知する構成変更通知が定義された構成変更トリガビットを含み、
前記パケット生成部は、前記変更通知信号を前記時分割多重部から受信したときに生成したパケットには前記予告通知を付与し、前記第１の設定レジスタから前記第２の設定レジスタに切り替えた後に次のフレーム多重で生成したパケットに前記構成変更通知を付与し、
前記パケット分離部は、前記回線構成変更フラグの前記構成変更トリガビットに前記予告通知が設定されたパケットを受信した後に、前記構成変更トリガビットに前記構成変更通知が設定されたパケットを受信していない場合であっても、前記構成変更トリガビットに前記予告通知が設定されたパケットのシーケンス番号よりも老番のシーケンス番号が付与されたパケットを受信した場合は、前記パケット分離部で使用する回線構成の運用情報を前記第３の設定レジスタから前記第４の設定レジスタに切り替えて使用する
ことを特徴とする請求項６に記載の回線エミュレーション装置。
【請求項８】
前記回線構成変更フラグには、前記第１の設定レジスタまたは前記第２の設定レジスタのいずれが運用に使用されているかを示す設定レジスタの運用面情報をさらに含み、
前記パケット分離部は、前記回線構成変更フラグの前記構成変更トリガビットに前記構成変更通知が設定されたパケットを受信していない場合であっても、受信したパケットの前記回線構成変更フラグの前記運用面情報を参照して、対向する装置における設定レジスタの運用面の切り替えを識別した場合は、前記パケット分離部で使用する回線構成の運用情報を前記第３の設定レジスタから前記第４の設定レジスタに切り替えて使用することを特徴とする請求項７に記載の回線エミュレーション装置。
【請求項９】
ＴＤＭ（Time Division Multiplexing）回線を収容し、パケットネットワーク内を擬似回線で接続して前記ＴＤＭ回線の信号をパケットにカプセル化して送受信する回線エミュレーション装置の回線構成の設定を一元管理する監視制御手段が、前記ＴＤＭ回線の回線構成を変更するにあたって、運用中の前記ＴＤＭ回線の回線構成情報を設定する第１の設定レジスタと構成を変更した後の前記ＴＤＭ回線の回線構成情報を設定する第２の設定レジスタとを含む送信側回線エミュレーション装置の前記第２の設定レジスタと、運用中の前記ＴＤＭ回線の回線構成情報を設定する第３の設定レジスタと構成を変更した後の前記ＴＤＭ回線の回線構成情報を設定する第４の設定レジスタとを含む受信側回線エミュレーション装置の前記第４の設定レジスタに、前記ＴＤＭ回線の変更後の回線構成情報を設定し、
前記送信側回線エミュレーション装置が、前記監視制御手段から前記ＴＤＭ回線の回線構成の切り替えを指示する変更トリガ通知を受信すると、回線構成の運用情報を前記第１の設定レジスタから前記第２の設定レジスタに切り替えて使用し、前記ＴＤＭ回線の回線構成の切り替えを通知する回線構成変更フラグを付与したパケットを生成して前記パケットネットワークに送信し、
前記受信側回線エミュレーション装置が、前記パケットネットワークから受信したパケットに前記回線構成変更フラグが付与されていることを識別すると、回線構成の運用情報を前記第３の設定レジスタから前記第４の設定レジスタに切り替えて使用する
ことを特徴とする回線エミュレーション方法。
【発明の詳細な説明】
【技術分野】
【０００１】
本発明は、回線エミュレーションシステム、装置および方法に関し、特に、収容したＴＤＭ(Time Division Multiplexing)回線の信号をパケットネットワーク上で透過的に伝送する回線エミュレーションシステム、装置および方法に関する。
【背景技術】
【０００２】
通信網の基幹ネットワークは、通信品質、信頼性およびセキュリティを向上させたパケットネットワークへと進化している。そして、音声、データ、静止画像および動画像等を用いた多彩な通信サービスを、パケットネットワーク上に統合して提供する方向でさまざまな技術が提案されている。なお、パケットネットワークとしては、広域Ｅｔｈｅｒｎｅｔ（登録商標）、ＭＰＬＳ（Multi-Protocol Label Switching）、ＩＰ（Internet Protocol）等がある。
【０００３】
しかし、ＴＤＭ(Time Division Multiplexing)装置やＡＴＭ（Asynchronous Transfer Mode）装置のような回線交換をベースとした技術にもとづく装置（レガシー系ネットワーク装置）が、通信事業者網内や企業網内に多数存在することも事実である。従って、通信網のオールパケット化に移行する過程において、これらのレガシー系ネットワーク装置を有効に活用するための技術が提案されている。
【０００４】
ＣＥＳｏＰＳＮ（Circuit Emulation Service over Packet Switched Network）は、ＴＤＭのビットストリームをパケットネットワーク上で透過的に伝送するための技術である。そして、ＩＥＴＦ（Internet Engineering Task Force）のＲＦＣ（Request For Comments）５０８６で、ＴＤＭ回線の信号をパケットネットワーク上で伝送するためのカプセル化する仕様が規定されている。つまり、ＣＥＳｏＰＳＮにより、パケットネットワーク内を擬似回線（pseudo-wire）で接続し、ＴＤＭ回線の信号をパケットにカプセル化して送受信する回線エミュレーションが実現される。
【０００５】
このような回線エミュレーションに関する技術が特許文献１乃至４に開示されている。
【０００６】
特許文献１は、ＴＤＭ回線を複数収容したパケットを伝送する装置において、ＴＤＭ回線に未使用のタイムスロットが存在したとしてもパケットのペイロードに無意味なデータを格納することのない伝送装置に関する技術を開示する。この技術による伝送装置は、送信側と受信側の双方の伝送装置において未使用の回線に関する情報を格納している。送信側の伝送装置は、この未使用回線情報を参照して、規格に準拠したパケットを送受信するネットワークから受信したパケットから未使用のＴＤＭ回線に対応するペイロード情報を削除し、規格外の圧縮パケットを生成して受信側の伝送装置に送信する。また、受信側の伝送装置においては、送信元の伝送装置から受信したパケットが未使用回線を削除されたパケットであれば、未使用回線情報を参照してこの受信パケットから削除された未使用回線の情報を復元して規格に準拠したパケットを生成する。このように、未使用の回線を通常のパケットから削除して伝送することにより、パケット網内のパケット転送の効率化および帯域有効利用を図ることができる。
【０００７】
特許文献２は、複数のＴＤＭ回線のうち同一宛先のＴＤＭ回線のＴＤＭデータをペイロードに束ねた多重パケットを生成する回線エミュレーション装置に関する技術を開示する。この回線エミュレーション装置は、ＴＤＭ回線の各々の宛先となるパケット網上の他の回線エミュレーション装置のアドレスを参照して、同一の宛先アドレスとなるＴＤＭ回線のＴＤＭデータを束ねたペイロードを生成する。そして、そのペイロードに宛先アドレスを含むヘッダを付与した多重パケットを生成してパケット網に送信する。これにより、パケット網内に送信されるパケット数を削減して、パケット転送の効率化およびネットワーク帯域の有効利用を達成することができる。
【０００８】
特許文献３は、収容したＴＤＭ回線を増減設した場合でも増減設後のＴＤＭ回線登録情報をあらかじめ記憶する必要がないパケットエミュレーション装置に関する技術を開示する。複数のＴＤＭデータをまとめて収容するパケットを送受信するときに、パケットエミュレーション装置に収容したＴＤＭ回線を増減設すると、パケットに収容されるＴＤＭデータの数とサイズおよび配列順が変わる。このパケットエミュレーション装置は、ＴＤＭデータにバーチャルコンテナ単位およびチャネル単位にポート番号を割り振り、送信側と受信側の双方の装置においてＴＤＭデータとＵＤＰ（User Datagram Protocol）ポート番号および回線速度との対応関係を記憶する。送信側装置がＵＤＰポート番号と回線速度を受信側装置に送信すると、受信側装置は、記憶している対応関係を基に、受信したＵＤＰポート番号および回線速度に対応するＴＤＭデータを判別する。そして、受信側装置は、判別した結果を基にＴＤＭ回線登録情報を更新し、更新したＴＤＭ回線登録情報に基づいてＴＤＭデータを時分割多重信号として送信する。
【０００９】
特許文献４は、ＴＤＭ信号をパケットに効率良く収容し、回線の瞬断を伴わずに回線の増設を可能にする回線エミュレーション装置を開示する。この回線エミュレーション装置において、送信側装置は、増設前の回線で伝送されたＴＤＭ信号を変換して生成された旧パケットと増設後の回線で伝送されたＴＤＭ信号を変換して生成された新パケットとをパケット網に並列に送信する。そして、受信側装置は、回線増設に応じた受信制御に従って、受信パケットから旧パケットまたは新パケットのいずれか一方を選択して時分割多重信号を再生する。
【先行技術文献】
【特許文献】
【００１０】
【特許文献１】特開2011-234162号公報
【特許文献２】特開2011-010173号公報
【特許文献３】特開2008-278426号公報
【特許文献４】特開2008-135819号公報
【発明の概要】
【発明が解決しようとする課題】
【００１１】
ＣＥＳｏＰＳＮによる回線エミュレーション装置において、この回線エミュレーション装置に収容されるＴＤＭ回線の増設や削除にともなって回線構成が変更されると、時分割多重／分離やパケット生成／分離にかかわる設定の変更が生じる。時分割多重／分離を行うＴＳＷ（Time division Switch）機能部ではタイムスロットへの回線割り当てが変更される。また、パケット生成／分離を行うＣＥＳｏＰＳＮ機能部ではパケット／デパケット化とその多重／分離にかかわる設定の変更が生じる。これは、特に、複数のＴＤＭ回線を多重化し、しかもオーバヘッドの節約のために、使用するチャネルのみをパケット化して送受信するような場合に考慮すべき課題である。つまり、ＴＤＭ回線の使用チャネルを増減すると、タイムスロットとチャネル番号との対応が変わり、パケット化した際のペイロード内におけるバイト位置とＴＤＭ回線のチャネル番号との対応が変わってしまう。
【００１２】
このようなＴＳＷ機能部の設定変更とＣＥＳｏＰＳＮ機能部の設定変更はそれぞれ個別に行われる。また、回線構成の変更に際しては、送信側と受信側の各回線エミュレーション装置において設定変更の時間差が生じ、パケットネットワーク内には旧回線構成の設定で生成されたパケットが滞留する。このような状況下において、無秩序に回線構成の変更にかかわる設定変更を実施すると、実際に送受信されているパケットの内容と、各回線エミュレーション装置で実行するパケット／デパケット化およびその多重／分離にかかわる設定との不整合が生じてしまう。その結果、実際に送受信されているパケットの内容と送受信の各回線エミュレーション装置における設定との整合がとれるようになるまでの間、同一パケット内に収容されている回線変更の対象外の運用回線を瞬断させてしまう。
【００１３】
そのため、回線エミュレーション装置に収容するＴＤＭ回線の回線構成変更を行う際に、システム運用者またはユーザは、回線停止申請を行い、対応となる回線の未使用時間帯に回線構成の変更切替えを行う運用方法をとる場合が多い。従って、回線エミュレーション装置に収容するＴＤＭ回線の構成変更を行うに際して無瞬断にて構成変更ができる仕組みが望まれる。
【００１４】
特許文献１と２は、パケット網内を転送するパケット量を削減してパケット転送の効率化および帯域有効利用を図ることに関する技術であるが、回線を瞬断させることなく回線構成を変更することは考慮されていない。
【００１５】
特許文献３は、収容するＴＤＭ回線を増減設する際の技術であって、増減設の際に増減設後のＴＤＭ回線登録情報をあらかじめ記憶する必要がないパケットエミュレーションを開示する。この技術は、回線構成変更に関する情報をあらかじめ記憶することなく回線構成変更を実現させることに特徴を有し、回線を瞬断させることなく回線構成を変更することには言及していない。
【００１６】
特許文献４は、瞬断を伴わずにＴＤＭ回線の増設を可能にする回線エミュレーション装置を開示する。しかし、特許文献４が開示する回線エミュレーション装置は、増設前の回線構成で生成された旧パケットと増設後の回線構成で生成された新パケットとをパケット網に並列に送信しなければならない。そのため、この技術は、変更すべき回線数が多い場合には、パケット網にかかる負荷が大きくなり、ジッタ変動幅増加の要因となる。その結果、ネットワークへの性能要求が高くなり、コスト増の要因となるという課題がある。
【００１７】
上記の課題に鑑み、本発明は、パケットネットワークに負荷をかけることなく、また、回線を瞬断させることなく、収用するＴＤＭ回線の回線構成を変更することができる回線エミュレーションシステム、装置および方法を提供する。
【課題を解決するための手段】
【００１８】
上記の目的を実現するために、本発明の一形態である回線エミュレーションシステムは、ＴＤＭ（Time Division Multiplexing）回線を収容し、パケットネットワーク内を擬似回線で接続して前記ＴＤＭ回線の信号をパケットにカプセル化して送受信する回線エミュレーション装置の回線構成の設定を一元管理する監視制御手段と、前記回線エミュレーション装置であって、運用中の前記ＴＤＭ回線の回線構成情報を設定する第１の設定レジスタと、構成を変更した後の前記ＴＤＭ回線の回線構成情報を設定する第２の設定レジスタとを含む送信側回線エミュレーション装置と、前記回線エミュレーション装置であって、運用中の前記ＴＤＭ回線の回線構成情報を設定する第３の設定レジスタと、構成を変更した後の前記ＴＤＭ回線の回線構成情報を設定する第４の設定レジスタとを含む受信側回線エミュレーション装置とを含み、前記監視制御手段は、前記ＴＤＭ回線の回線構成を変更するにあたって、前記送信側回線エミュレーション装置の前記第２の設定レジスタと、前記受信側回線エミュレーション装置の前記第４の設定レジスタに、前記ＴＤＭ回線の変更後の回線構成情報を設定し、前記送信側回線エミュレーション装置は、前記監視制御手段から前記ＴＤＭ回線の回線構成の切り替えを指示する変更トリガ通知を受信すると、回線構成の運用情報を前記第１の設定レジスタから前記第２の設定レジスタに切り替えて使用し、前記ＴＤＭ回線の回線構成の切り替えを通知する回線構成変更フラグを付与したパケットを生成して前記パケットネットワークに送信し、前記受信側回線エミュレーション装置は、前記パケットネットワークから受信したパケットに前記回線構成変更フラグが付与されていることを識別すると、回線構成の運用情報を前記第３の設定レジスタから前記第４の設定レジスタに切り替えて使用することを特徴とする。
【００１９】
また、本発明の他の形態である回線エミュレーション装置は、収容するＴＤＭ（Time Division Multiplexing）回線の運用中の回線構成情報を設定する第１の設定レジスタと、構成を変更した後の前記ＴＤＭ回線の回線構成情報を設定する第２の設定レジスタとを含み、パケットネットワーク内を擬似回線で接続して前記ＴＤＭ回線の信号をパケットにカプセル化して送信する送信側回線エミュレーション手段と、運用中の前記ＴＤＭ回線の回線構成情報を設定する第３の設定レジスタと、構成を変更した後の前記ＴＤＭ回線の回線構成情報を設定する第４の設定レジスタとを含み、前記パケットネットワークからカプセル化したパケットを受信して前記ＴＤＭ回線の信号を出力する受信側回線エミュレーション手段とを含み、前記送信側回線エミュレーション手段は、回線エミュレーション装置の回線構成の設定を一元管理する監視制御手段から前記ＴＤＭ回線の変更後の回線構成情報を受信すると、受信した変更後の回線構成情報を前記第２の設定レジスタに設定する送信側レジスタ設定手段と、前記監視制御手段から、前記ＴＤＭ回線の回線構成の切り替えを指示する変更トリガ通知を受信すると、回線構成の運用情報を前記第１の設定レジスタから前記第２の設定レジスタに切り替え、前記パケットネットワークに送信するパケットに、前記ＴＤＭ回線の回線構成の切り替えを通知する回線構成変更フラグを付与する送信側レジスタ設定切替手段とを含み、前記受信側回線エミュレーション手段は、前記監視制御手段から前記ＴＤＭ回線の変更後の回線構成情報を受信すると、受信した変更後の回線構成情報を前記第４の設定レジスタに設定する受信側レジスタ設定手段と、前記パケットネットワークから受信したパケットに前記回線構成変更フラグが付与されていることを識別すると、回線構成の運用情報を前記第３の設定レジスタから前記第４の設定レジスタに切り替える受信側レジスタ設定切替手段とを含むことを特徴とする。
【００２０】
さらに、本発明の他の形態である回線エミュレーション方法は、ＴＤＭ（Time Division Multiplexing）回線を収容し、パケットネットワーク内を擬似回線で接続して前記ＴＤＭ回線の信号をパケットにカプセル化して送受信する回線エミュレーション装置の回線構成の設定を一元管理する監視制御手段が、前記ＴＤＭ回線の回線構成を変更するにあたって、運用中の前記ＴＤＭ回線の回線構成情報を設定する第１の設定レジスタと構成を変更した後の前記ＴＤＭ回線の回線構成情報を設定する第２の設定レジスタとを含む送信側回線エミュレーション装置の前記第２の設定レジスタと、運用中の前記ＴＤＭ回線の回線構成情報を設定する第３の設定レジスタと構成を変更した後の前記ＴＤＭ回線の回線構成情報を設定する第４の設定レジスタとを含む受信側回線エミュレーション装置の前記第４の設定レジスタに、前記ＴＤＭ回線の変更後の回線構成情報を設定し、前記送信側回線エミュレーション装置が、前記監視制御手段から前記ＴＤＭ回線の回線構成の切り替えを指示する変更トリガ通知を受信すると、回線構成の運用情報を前記第１の設定レジスタから前記第２の設定レジスタに切り替えて使用し、前記ＴＤＭ回線の回線構成の切り替えを通知する回線構成変更フラグを付与したパケットを生成して前記パケットネットワークに送信し、前記受信側回線エミュレーション装置が、前記パケットネットワークから受信したパケットに前記回線構成変更フラグが付与されていることを識別すると、回線構成の運用情報を前記第３の設定レジスタから前記第４の設定レジスタに切り替えて使用することを特徴とする。
【発明の効果】
【００２１】
本発明は、パケットネットワークに負荷をかけることなく、また、回線を瞬断させることなく、回線エミュレーション装置に収容するＴＤＭ回線の回線構成を変更することができる。
【図面の簡単な説明】
【００２２】
【図１】本発明の第１の実施形態の回線エミュレーションシステムの構成を示すブロック図である。
【図２】本発明の第１の実施形態の回線エミュレーション装置の構成を示すブロック図である。
【図３】本発明の第１の実施形態の回線エミュレーション方法の動作を示すフロー図である。
【図４】第２の実施形態である複合多重伝送装置の構成を示すブロック図である。
【図５】監視制御端末が各複合多重伝送装置内の設定レジスタの待機側レジスタに変更後回線構成情報を書き込む様子を示す模式図である。
【図６】監視制御端末が送信側複合多重伝送装置に変更トリガ通知を送り、各複合多重伝送装置内の設定レジスタが待機側レジスタに切り替わる様子を示す模式図である。
【図７】監視制御端末から変更トリガ通知を受けて、送信側および受信側の複合多重伝送装置において設定レジスタを順次切り替える動作を示すフロー図である。
【図８】送信側複合多重伝送装置で実施する設定レジスタを切り替える前の時分割多重部とパケット生成部による信号の多重化動作を示すタイミングチャートである。
【図９】送信側複合多重伝送装置で実施する設定レジスタを切り替えた後の時分割多重部とパケット生成部による信号の多重化動作を示すタイミングチャートである。
【図１０】パケットに付加する変更フラグの設定例を示すパケットフォーマット図である。
【図１１】受信側複合多重伝送装置で実施する信号の分離動作を示すタイミングチャートである。
【発明を実施するための形態】
【００２３】
本発明の実施の形態について図面を参照して詳細に説明する。
【００２４】
なお、実施の形態は例示であり、開示する発明は以下の実施の形態の構成には限定されない。
【００２５】
まず、図１、図２および図３を参照して、本発明の基本実施形態である第１の実施形態を説明する。
【００２６】
図１は、本発明の第１の実施形態の回線エミュレーションシステムの構成を示すブロック図である。
【００２７】
第１の実施形態の回線エミュレーションシステムは、送信側回線エミュレーション装置１、受信側回線エミュレーション装置２および、監視制御手段３を含んで構成される。
【００２８】
なお、回線エミュレーション装置はＴＤＭ（Time Division Multiplexing）回線を収容し、パケットネットワーク内を擬似回線で接続してＴＤＭ回線の信号をパケットにカプセル化して送受信する装置である。
【００２９】
送信側回線エミュレーション装置１は、運用中のＴＤＭ回線の回線構成情報を設定する第１の設定レジスタ１１と、構成を変更した後のＴＤＭ回線の回線構成情報を設定する第２の設定レジスタ１２とを含む。
【００３０】
受信側回線エミュレーション装置２は、運用中のＴＤＭ回線の回線構成情報を設定する第３の設定レジスタ２１と、構成を変更した後のＴＤＭ回線の回線構成情報を設定する第４の設定レジスタ２２とを含む。
【００３１】
監視制御手段３は、回線エミュレーション装置の回線構成の設定を一元管理する。そして、監視制御手段３は、ＴＤＭ回線の回線構成を変更するにあたって、送信側回線エミュレーション装置１の第２の設定レジスタ１２と、受信側回線エミュレーション装置２の第４の設定レジスタ２２に、ＴＤＭ回線の変更後の回線構成情報を設定する。
【００３２】
送信側回線エミュレーション装置１は、監視制御手段３からＴＤＭ回線の回線構成の切り替えを指示する変更トリガ通知を受信すると、回線構成の運用情報を第１の設定レジスタ１１から第２の設定レジスタ１２に切り替えて使用する。そして、送信側回線エミュレーション装置１は、ＴＤＭ回線の回線構成の切り替えを通知する回線構成変更フラグを付与したパケットを生成してパケットネットワークに送信する。
【００３３】
受信側回線エミュレーション装置２は、パケットネットワークから受信したパケットに回線構成変更フラグが付与されていることを識別すると、回線構成の運用情報を第３の設定レジスタ２１から第４の設定レジスタ２２に切り替えて使用する。
【００３４】
図２は、本発明の第１の実施形態の回線エミュレーション装置の構成を示すブロック図である。
【００３５】
第１の実施形態の回線エミュレーション装置１０は、送信側回線エミュレーション手段１０１と受信側回線エミュレーション手段１０２を含んで構成される。
【００３６】
送信側回線エミュレーション手段１０１は、第１の設定レジスタ１０１１、第２の設定レジスタ１０１２、送信側レジスタ設定手段１０１３および送信側レジスタ設定切替手段１０１４を含む。送信側回線エミュレーション手段１０１は、パケットネットワーク内を擬似回線で接続してＴＤＭ（Time Division Multiplexing）回線の信号をパケットにカプセル化して送信する。
【００３７】
第１の設定レジスタ１０１１は、収容するＴＤＭ回線の運用中の回線構成情報を設定するレジスタである。第２の設定レジスタ１０１２は、構成を変更した後のＴＤＭ回線の回線構成情報を設定するレジスタである。
【００３８】
送信側レジスタ設定手段１０１３は、回線エミュレーション装置の回線構成の設定を一元管理する監視制御手段（不図示）からＴＤＭ回線の変更後の回線構成情報を受信すると、受信した変更後の回線構成情報を第２の設定レジスタ１０１２に設定する。
【００３９】
受信側回線エミュレーション手段１０２は、第３の設定レジスタ１０２１、第４の設定レジスタ１０２２、受信側レジスタ設定手段１０２３および受信側レジスタ設定切替手段１０２４を含む。受信側回線エミュレーション手段１０２は、パケットネットワークからカプセル化したパケットを受信して前記ＴＤＭ回線の信号を出力する。
【００４０】
第３の設定レジスタ１０２１は、運用中のＴＤＭ回線の回線構成情報を設定するレジスタである。第４の設定レジスタ１０２２は、構成を変更した後のＴＤＭ回線の回線構成情報を設定するレジスタである。
【００４１】
受信側レジスタ設定手段１０２３は、監視制御手段（不図示）からＴＤＭ回線の変更後の回線構成情報を受信すると、受信した変更後の回線構成情報を第４の設定レジスタ１０２２に設定する。
【００４２】
送信側レジスタ設定切替手段１０１４は、監視制御手段（不図示）からＴＤＭ回線の回線構成の切り替えを指示する変更トリガ通知を受信すると、回線構成の運用情報を第１の設定レジスタ１０１１から第２の設定レジスタ１０１２に切り替える。そして、送信側レジスタ設定切替手段１０１４は、パケットネットワークに送信するパケットに、ＴＤＭ回線の回線構成の切り替えを通知する回線構成変更フラグを付与する。
【００４３】
受信側レジスタ設定切替手段１０２４は、パケットネットワークから受信したパケットに回線構成変更フラグが付与されていることを識別すると、回線構成の運用情報を第３の設定レジスタ１０２１から第４の設定レジスタ１０２２に切り替える。
【００４４】
図３は、本発明の第１の実施形態の回線エミュレーション方法の動作を示すフロー図である。第１の実施形態の回線エミュレーション方法は次のように動作する。
【００４５】
監視制御手段は、ＴＤＭ（Time Division Multiplexing）回線を収容し、パケットネットワーク内を擬似回線で接続してＴＤＭ回線の信号をパケットにカプセル化して送受信する回線エミュレーション装置の回線構成の設定を一元管理する手段である。
【００４６】
監視制御手段が、ＴＤＭ回線の回線構成を変更するにあたって、各回線エミュレーション装置の変更後の回線構成を設定する設定レジスタに、変更後の回線構成情報を設定する（Ｓ１０１）。
【００４７】
送信側回線エミュレーション装置は、運用中のＴＤＭ回線の回線構成情報を設定する第１の設定レジスタと、構成を変更した後のＴＤＭ回線の回線構成情報を設定する第２の設定レジスタとを含む。また、受信側回線エミュレーション装置は、運用中のＴＤＭ回線の回線構成情報を設定する第３の設定レジスタと、構成を変更した後のＴＤＭ回線の回線構成情報を設定する第４の設定レジスタとを含む。
【００４８】
送信側回線エミュレーション装置が、監視制御手段からＴＤＭ回線の回線構成の切り替えを指示する変更トリガ通知を受信すると、回線構成の運用情報を、変更後の回線構成情報を設定する設定レジスタに切り替える（Ｓ１０２）。つまり、回線構成の運用情報は、第１の設定レジスタから第２の設定レジスタに切り替えられる。
【００４９】
そして、送信側回線エミュレーション装置が、ＴＤＭ回線の回線構成の切り替えを通知する回線構成変更フラグを付与したパケットを生成してパケットネットワークに送信する（Ｓ１０３）。
【００５０】
受信側回線エミュレーション装置が、パケットネットワークから受信し、そのパケットに回線構成変更フラグが付与されていることを識別すると、回線構成の運用情報を、変更後の回線構成情報を設定する設定レジスタに切り替える（Ｓ１０４）。つまり、回線構成の運用情報は、第３の設定レジスタから第４の設定レジスタに切り替えられる。
【００５１】
以上のように、第１の実施形態では、あらかじめ変更後の回線構成情報を待機用の設定レジスタに設定しておく。そして、回線構成を変更する際には、データの流れの上流側から下流側に向かって順次設定を変更する。つまり、データの送信側の装置において回線構成の運用情報の切り替えを行い、回線構成の切り替えを通知する回線構成変更フラグを付与したパケットを送信して受信側に通知する。受信側では、受信したパケットに回線構成変更フラグが付与されていることを識別すると、回線構成の運用情報の切り替えを行う。このような構成により、設定変更後の送信側と受信側の回線エミュレーション装置間に、回線構成変更前の情報に基づくパケットの滞留が無くなり、同一パケットに収容されている他運用回線に影響を与えることもない。そのため、パケットネットワークに負荷をかけることなく、また、回線を瞬断させることなく、回線エミュレーション装置に収容するＴＤＭ回線の回線構成を変更することができる。
【００５２】
次に、第２の実施形態を説明する。
【００５３】
図４は、第２の実施形態である複合多重伝送装置の構成を示すブロック図である。
【００５４】
複合多重伝送装置２０の送信側ブロック２１は、インタフェース受信部２１１、時分割多重部２１２およびパケット生成部２１３を含む構成となっている。また、複合多重伝送装置２０の受信側ブロック２２は、インタフェース送信部２２１、時分割分離部２２２およびパケット分離部２２３を含む構成となっている。
【００５５】
インタフェース受信部２１１は、複合多重伝送装置２０に収容する複数の端末１、端末２〜端末ｎの各回線を接続し、端末から送信される多種多様なインタフェース信号を受信する。そして、各端末のインタフェース信号を当該装置内で使用する共通のデジタル信号のデータフォーマットに変換する機能を備える。インタフェース信号としては、例えば、ＩＴＵ−Ｔ（International Telecommunication Union Telecommunication Standardization Sector）のＧシリーズ、ＶシリーズおよびＸシリーズの規格に準拠した信号がある。
【００５６】
時分割多重部２１２は、インタフェース受信部２１１が出力する各端末対応のデータを時分割多重して回線単位にまとめる機能を備える。時分割多重部２１２は、ＴＳＷ（Time division Switch）を備え、インタフェース受信部２１１側のチャネルと多重化されたタイムスロット位置とを任意に対応させることができる。
【００５７】
パケット生成部２１３は、時分割多重部２１２が出力する回線単位の信号をフレーム多重して回線エミュレーションデータパケットに変換する。そして、パケットネットワークで使用されるプロトコルに従ってカプセル化を行って、パケットネットワークに出力する機能を備える。
【００５８】
一方、受信側ブロック２２は、カプセル化されたパケットをパケットネットワークから受信し、送信側ブロック２１と逆の動作を行って、各端末にインタフェース信号を出力する。
【００５９】
パケット分離部２２３は、カプセル化されたパケットのカプセルを解除し、パケットのフレーム多重を解除して回線単位の時分割多重信号として出力する機能を備える。
【００６０】
時分割分離部２２２は、パケット分離部２２３が出力した回線単位の時分割多重信号の時分割分離を行い、各端末に対応する装置内フレームデータを出力する機能を備える。時分割分離部２２２は、時分割多重部２１２と同様にＴＳＷ（Time division Switch）を備え、多重化されたタイムスロット位置とインタフェース送信部２２１側のチャネルとを任意に対応させることができる。
【００６１】
インタフェース送信部２２１は、複合多重伝送装置２０に収容する複数の端末１、端末２〜端末ｎの各回線を接続し、時分割分離部２２２が出力した装置内フレームデータを、端末に対応するインタフェース信号に変換して出力する機能を備える。インタフェース信号は、前述したように、ＩＴＵ−ＴのＧシリーズ、ＶシリーズおよびＸシリーズの規格に準拠した信号が例示される。
【００６２】
また、インタフェース受信部２１１、時分割多重部２１２、パケット生成部２１３、インタフェース送信部２２１、時分割分離部２２２およびパケット分離部２２３は、それぞれ設定レジスタを備えている。設定レジスタは、複合多重伝送装置２０に収容する端末（ＴＤＭ回線）の回線構成情報を設定するレジスタである。
【００６３】
インタフェース受信部２１１およびインタフェース送信部２２１が備える設定レジスタには、収容するＴＤＭ回線のチャネルの使用状況が設定される。例えば、Ｇシリーズの１．５Ｍｂｐｓの回線は６４ｋｂｐｓのチャネルが２４チャネルで構成される。このＧシリーズの１．５Ｍｂｐｓの回線を収容する場合、設定レジスタには、これらの２４チャネルの各チャネルの使用／未使用が定義される。
【００６４】
時分割多重部２１２および時分割分離部２２２が備える設定レジスタには、収容するＴＤＭ回線の回線番号およびチャネル番号と、多重化されたタイムスロット位置との対応関係が設定される。つまり、どの回線のどのチャネルが、多重化されたタイムスロットのどの位置に対応しているかを示す。なお、前述したように、時分割多重部２１２および時分割分離部２２２はＴＳＷを備えており、チャネルとタイムスロットの位置との対応を任意に変える多重または分離が可能になっている。
【００６５】
パケット生成部２１３およびパケット分離部２２３が備える設定レジスタには、多重化されたタイムスロット（チャネル）とパケットの生成またはパケットの分離との関連が設定される。例えば、パケットネットワークがＩＰ網である場合、自ＩＰアドレス、相手先ＩＰアドレス、相手先ポート番号、自ポート番号およびＭＡＣ（Media Access Control）アドレス等の情報が、パケットの生成またはパケットの分離に必要となる。そして、同一相手先ＩＰアドレスの同一ポート番号に対応するタイムスロットが同一パケットのペイロードに収容される。そのため、どのパケットにはどのタイムスロットが収容されるのかを示す対応情報と、各パケットにおけるタイムスロットとペイロードとの対応情報が設定される。
【００６６】
時分割多重部２１２、パケット生成部２１３、時分割分離部２２２およびパケット分離部２２３は、それぞれ２面の設定レジスタを備える。１面には現在運用中の回線構成の情報が設定され、他の１面には回線構成を変更するときに、変更後の回線構成に関する情報が設定される。図４において、各設定レジスタの参照符号の末尾がＡの設定レジスタは現在運用中の回線構成が設定されているレジスタで、参照符号の末尾がＢの設定レジスタは変更後の回線構成を設定するレジスタ（待機側レジスタという）としている。
【００６７】
なお、インタフェース受信部２１１とインタフェース送信部２２１は、各端末に対応する回路に１面の設定レジスタを備え、現在運用中の回線構成の情報が設定されている。これは、端末のチャネルはそれぞれ独立しており、他チャネルの変更が影響を与えないので、設定レジスタは１面のみ備えればよいからである。
【００６８】
さらに、時分割多重部２１２、パケット生成部２１３、時分割分離部２２２およびパケット分離部２２３は、それぞれ制御回路を備える。制御回路の動作は後述するが、第１の実施形態の送信側／受信側レジスタ設定手段や送信側／受信側レジスタ設定切替手段に相当する制御を実行する。
【００６９】
次に、図５、図６および図７を参照して、第２の実施形態の動作を説明する。
【００７０】
図５は、監視制御端末が各複合多重伝送装置内の設定レジスタの待機側レジスタに変更後回線構成情報を書き込む様子を示す模式図である。
【００７１】
図６は、監視制御端末が送信側複合多重伝送装置に変更トリガ通知を送り、各複合多重伝送装置内の設定レジスタが待機側レジスタに切り替わる様子を示す模式図である。
【００７２】
図７は、監視制御端末から変更トリガ通知を受けて、送信側および受信側の複合多重伝送装置において設定レジスタを順次切り替える動作を示すフロー図である。
【００７３】
監視制御端末３０は、ネットワーク内の各複合多重伝送装置の警報監視および装置間の回線設定を一元管理/設定できる機能を備える保守運用端末である。
【００７４】
各図において、送信側複合多重伝送装置２０Ａでは信号受信にかかわる装置構成を、また、受信側複合多重伝送装置２０Ｂでは信号送信にかかわる装置構成をそれぞれ省略して示している。
【００７５】
まず、図５を参照して、監視制御端末３０が各複合多重伝送装置内の設定レジスタの待機側レジスタに変更後回線構成情報を書き込む動作を説明する。
【００７６】
前述したように、各設定レジスタの参照符号の末尾がＡの設定レジスタは、現在運用中の回線構成が設定されているレジスタで、参照符号の末尾がＢの設定レジスタは、変更後の回線構成を設定する待機側レジスタである。従って、回線構成を変更する前の運用中は、送信側複合多重伝送装置２０Ａの時分割多重部２１２では設定レジスタ１２A、パケット生成部２１３では設定レジスタ１３Aにそれぞれ設定されている回線構成情報に従って、時分割多重やパケット生成が行われている。また、受信側複合多重伝送装置２０Ｂの時分割分離部２２２では設定レジスタ２２A、パケット分離部２２３では設定レジスタ２３Aにそれぞれ設定されている回線構成情報に従って、時分割分離やパケット分離が行われている。
【００７７】
回線構成の変更を行うとき、監視制御端末３０は、送信側複合多重伝送装置２０Ａおよび受信側複合多重伝送装置２０Ｂに対して、変更後の回線構成情報を設定レジスタに書き込むことを指示する。なお、監視制御端末３０からの情報は監視制御パケットにより伝達される。
【００７８】
インタフェース送信部２１１およびインタフェース受信部２２１においては、指示された回線構成情報がそのまま設定レジスタに書き込まれる。
【００７９】
一方、時分割多重部２１２、パケット生成部２１３、時分割分離部２２２およびパケット分離部２２３において、各制御回路は監視制御端末３０から指示された変更後の回線構成情報を待機側レジスタに書き込む。つまり、時分割多重部２１２において、制御回路１２は変更後の回線構成情報を設定レジスタ１２Ｂに書き込む。パケット生成部２１３において、制御回路１３は変更後の回線構成情報を設定レジスタ１３Ｂに書き込む。時分割分離部２２２において、制御回路２２は変更後の回線構成情報を設定レジスタ２２Ｂに書き込む。そして、パケット分離部２２３において、制御回路２３は変更後の回線構成情報を設定レジスタ２３Ｂに書き込む。
【００８０】
図６および図７を参照して以降の動作を説明する。
【００８１】
変更後の回線構成情報を各装置に設定すると、監視制御端末３０は、データの流れの上流側である、送信側複合多重伝送装置２０Ａの時分割多重部２１２に対して、変更トリガ通知を発行する（図７のＳ２０１）。
【００８２】
時分割多重部２１２の制御回路１２は、監視制御端末３０から変更トリガ通知を受け取ると、パケット生成部２１３におけるパケット生成の動作と同期させて設定レジスタの切り替えを行う。つまり、制御回路１２は、パケット生成部２１３から受信している多重化タイミングパルスに基づいて、変更トリガ通知を受信した後の最初に受信する多重化タイミングパルスと同時に設定レジスタ１２Ａを設定レジスタ１２Ｂに切り替える。この設定レジスタの切り替えにより、時分割多重部２１２が実施している時分割多重の内容が変更後の回線構成に基づくものに変更される。また、このとき、制御回路１２は、回路構成が変更され、時分割多重部２１２では設定レジスタを切り替えたことを通知する変更通知信号をパケット生成部２１３に出力する（図７のＳ２０２）。
【００８３】
パケット生成部２１３の制御回路１３は、時分割多重部２１２から変更通知信号を受信すると、設定レジスタ１３Ａを設定レジスタ１３Ｂに切り替える。この設定レジスタの切り替えにより、パケット生成部２１３が生成するパケットの内容が変更後の回線構成に基づくものに変更される。この変更された構成によるパケットを生成する際に、制御回路１３は、回線構成が変更され、送信側複合多重伝送装置では設定レジスタを切り替えたことを受信側複合多重伝送装置に通知する変更フラグをパケットに付加する（図７のＳ２０３）。
【００８４】
この変更フラグをパケットに付加する方法として、Ｃｈａｎｇｅ  Ｈｅａｄｅｒ（ＣＨ）を付加する方法と、ＲＦＣ５０８６に規定されているＣＥＳｏＰＳＮのＣｏｎｔｒｏｌ  Ｗｏｒｄ（ＣＷ）をカスタマイズする方法がある。どちらの方法を用いてもよい。ＣＨを使用する場合はＲＦＣ５０８６に規定されているパケットフォーマットのオプション領域に１バイトのデータとして追加する。また、ＣＷを使用する場合はＣＨが不要になる分だけ、生成するパケットのオーバーヘッドが削減される。なお、変更フラグの付加については図１０を参照して後述する。
【００８５】
パケット生成部２１３が変更フラグの付加されたパケットをパケットネットワークに送出したことにより、これ以降は回線構成が変更された内容のパケットがパケットネットワーク内を転送されることになる。
【００８６】
受信側複合多重伝送装置２０Ｂに変更フラグの付加されたパケットが到達し、パケット分離部２２３の制御回路２３が変更フラグを識別すると、制御回路２３は設定レジスタ２３Ａを設定レジスタ２３Ｂに切り替える。この設定レジスタの切り替えにより、パケット分離部２２３が出力するフレーム分離した時分割多重信号の内容は、変更後の回線構成に基づくものに変更される。このとき、制御回路２３は、パケット分離部２２３では設定レジスタを切り替えたことを通知する変更通知信号を時分割分離部２２２に出力する（図７のＳ２０４）。
【００８７】
時分割分離部２２２の制御回路２２は、変更通知信号をパケット分離部２２３から受信すると、次の分離タイミングパルスを受信するタイミングで設定レジスタを設定レジスタ２２Ａから設定レジスタ２２Ｂに切り替える（図７のＳ２０５）。そして、変更後の回線構成に基づいて時分割分離を行って、ＴＤＭデータをインタフェース送信部２２１に出力する。
【００８８】
以上のようにして、回線構成を変更する契機は、旧構成に基づくパケットがネットワーク内に滞留しないように、データの流れの上流側から下流側に向かって順次通知される。同一の装置内であれば各機能ユニット間で変更通知信号が伝達され、パケットネットワークを介した装置間であれば、変更フラグを付加したパケットが伝達される。
【００８９】
図８乃至図１１を参照して、設定レジスタの切り替えに伴う信号の多重／分離動作およびパケットに付加する変更フラグの設定例を示すパケットフォーマット例を説明する。
【００９０】
図８は、送信側複合多重伝送装置で実施する設定レジスタを切り替える前の時分割多重部とパケット生成部による信号の多重化動作を示すタイミングチャートである。
【００９１】
この複合多重伝送装置には、インタフェース１、インタフェース２およびインタフェース３が接続されているものとする。例えば、インタフェース１はチャネル１〜３を有し、インタフェース２およびインタフェース３はそれぞれ１つのチャネルを有する構成になっている。時分割多重部はこれらのインタフェースに含まれるチャネルを１２５μｓのフレーム単位のタイミングで時分割多重する。図８の上部は、インタフェース１〜３の各チャネルが時分割多重部によりフレーム単位のタイミングで時分割多重される様子を示す。
【００９２】
そして、パケット生成部は、時分割多重された、例えば４フレーム分のデータをペイロードに搭載したパケットを生成する。図８の下部は、４フレームパルス毎に１つの多重化タイミングパルスが出力され、多重化タイミングパルス毎にパケットが生成される様子を示している。
【００９３】
ここで、図示するタイミングで時分割多重部が、監視制御端末からの変更トリガの通知を受信したものとする。
【００９４】
図９は、送信側複合多重伝送装置で実施する設定レジスタを切り替えた後の時分割多重部とパケット生成部による信号の多重化動作を示すタイミングチャートである。
【００９５】
図示するように、インタフェース１にチャネル４を追加し、多重化数を４から８に変更する構成変更の変更トリガを受信したものとする。なお、この変更内容の情報は、前述したように、監視制御端末から予め待機側レジスタに設定されている。
【００９６】
時分割多重部は、パケット生成部から次の多重化タイミングパルスを受信した時点で設定レジスタを切り替え、変更後の構成情報に基づいて時分割多重を行う。つまり、変更後の構成ではインタフェース１のチャネル４が含まれて時分割多重される。また、このとき、時分割多重部は、設定レジスタを切り替えたことを通知する変更通知信号をパケット生成部に出力する。時分割多重部は、その後のフレームパルスの各タイミングでは新しい構成に基づいた時分割多重を行う。
【００９７】
パケット生成部は時分割多重部から設定レジスタの変更通知信号を受信すると、パケット生成部の設定レジスタの切り替えを行う。なお、パケット生成部はこの時点では切り替え前の構成に基づいてパケットを生成している。そして、この時点で生成したパケットの変更フラグであるＣｈａｎｇｅ  Ｈｅａｄｅｒ（ＣＨ）には、図１０を参照して説明する「予告通知」を格納し、次パケットから構成が変更される旨を対向装置側に伝える。
【００９８】
そして、変更後の構成では多重化数が８に変更されたので、パケット生成部は８フレーム分の時分割多重データをペイロードに格納したパケットを生成する。そして、このパケットには「構成変更通知」をＣＨに格納して、当該パケットより構成が変更されている旨を対向装置側に通知する。
【００９９】
既に言及したが、パケットに付加する変更フラグについて図１０を参照して説明する。
【０１００】
図１０は、パケットに付加する変更フラグの設定例を示すパケットフォーマット図である。
【０１０１】
図１０に例示するパケットフォーマットは、上位レイヤがＩＰ（Internet Protocol）／ＵＤＰ（User Datagram Protocol）の場合のＣＥＳｏＰＳＮパケットフォーマットである。ＲＴＰ（Real-Time Transport Protocol）ヘッダとＣｏｎｔｒｏｌ  Ｗｏｒｄの間に１バイトのＣｈａｎｇｅ  Ｈｅａｄｅｒ（ＣＨ）が挿入されている様子を示している。
【０１０２】
ＣＨの詳細を図１０の右上段に示す。
【０１０３】
ＣＨの０〜３ビットはオプションで将来の機能拡張用とし、オール０が設定される。ＣＨの４、５ビットは構成変更トリガビットとして使用される。そのステータスとして、「０１」を予告通知、「１０」を構成変更通知と定義する。予告通知は、次パケット（次のシーケンス番号を有するパケット）から回線構成が変更される旨を通知する。構成変更通知は当該パケットより回線構成が変更されている旨を通知する。構成変更がない場合は「００」が設定されている。
【０１０４】
ＣＨの４、５ビットは自装置の設定レジスタの運用面情報を対向装置に伝えるために設けられている。運用面情報とは、２面設置されている設定レジスタのどちらを運用情報として使用しているかを示す。例えば、Ａ面／Ｂ面のように区別される。これは、ネットワーク障害やパケットロス等により、受信装置側に構成変更トリガが通知されなかった場合に、受信装置側での設定レジスタの切り替えを救済することを目的としている。受信側装置は、構成変更トリガを受信していない場合でも、この運用面情報で送信側の設定レジスタが切り替わったことを認識した場合には、自装置の設定レジスタの運用面を切り替える。
【０１０５】
なお、前述の予告通知も、本来は次に送信される構成変更通知がネットワーク障害やパケットロス等により受信装置側において受信できなかった場合に、受信装置側での設定レジスタの切り替えを救済する目的で使える。受信側装置は、予告通知を受信した後に構成変更通知を受信していない場合でも、予告通知のシーケンス番号よりも老番のパケットを受信した場合には、送信側の設定レジスタが切り替わったものと認識して、自装置の設定レジスタの運用面を切り替える。このとき、前述の運用面情報を同時に参照することにより、確実に運用面の切り替えを識別することができる。
【０１０６】
一方、ＲＦＣ５０８６に規定されているＣＥＳｏＰＳＮのＣｏｎｔｒｏｌ  Ｗｏｒｄ（ＣＷ）をカスタマイズする場合は、図１０の右下段に示すように、４バイトで構成されるＣＷの１バイト目を上述したＣＨを設定するフィールドとして使用する。
【０１０７】
このように、１バイトのＣＨを挿入するか、またはＣＷの１バイト目をＣＨ相当にカスタマイズして使用することにより、設定レジスタの運用面の切り替えを通知する変更フラグをパケットに付加する。
【０１０８】
次に、受信側複合多重伝送装置での信号の分離動作を、図１１を参照して説明する。
【０１０９】
図１１は、受信側複合多重伝送装置で実施する信号の分離動作を示すタイミングチャートである。
【０１１０】
パケット分離部はパケットネットワークから受信するパケットを到着順にバッファに蓄積する。そして、各パケットに付与されたシーケンス順に並び替えてバッファから取り出す。従って、変更フラグが付加された変更後の構成に基づくパケットが先に到着したとしても、後から到着した変更前の構成に基づくパケットには若番のシーケンス番号が付与されているので、変更前の構成に基づくパケットがシーケンス順に先に受信処理される。そのため、変更フラグが付加された変更後の構成に基づくパケットが処理される時点では、変更前の構成に基づくパケットがパケットネットワークに滞留していることはない。
【０１１１】
パケット分離部は、変更フラグを識別するまでは変更前の構成情報に基づいてペイロードに格納されているＴＤＭデータのパケット分離を行い、多重分離部に出力する。多重分離部は、フレームパルスのタイミングで、時分割多重されている各インタフェースに対応するチャネルデータを、変更前の構成情報に基づいて分離して出力する。
【０１１２】
パケット分離部は、受信処理したパケットのＣＨに基づいて変更フラグを識別すると、変更後の構成を設定した待機側レジスタを運用面に切り替える。また、多重分離部にその切り替えを通知する変更通知信号を出力する。
【０１１３】
図１１では、分離タイミングを４から８に変更した様子を示している。そして、パケット分離部は、変更後の構成情報に基づいてペイロードに格納されているＴＤＭデータのパケット分離を行い、多重分離部に出力する。多重分離部においても、変更通知信号の後に受信した分離タイミングパルスのタイミングで設定レジスタを切り替え、フレームパルスのタイミングで、時分割多重されている各インタフェースに対応するチャネルデータを、変更後の構成情報に基づいて分離して出力する。
【０１１４】
以上が、設定レジスタの切り替えに伴う信号の多重／分離動作およびパケットに付加する変更フラグの設定例に関する説明である。
【０１１５】
以上に説明したように、第２の実施形態においても、回線構成の変更を実施する際にはデータの流れの上流側から下流側に向かって順次設定レジスタを切り替える。そのため、受信側複合多重伝送装置で設定レジスタの切り替えを行うときには、パケットネットワーク内には回線構成を変更する前の構成で生成されたパケットの滞留は無くなる。従って、ネットワークに負荷をかけることなく、無瞬断で回線構成の変更をすることが可能となる。
【符号の説明】
【０１１６】
１    送信側回線エミュレーション装置
２    受信側回線エミュレーション装置
３    監視制御手段
１１、１０１１    第１の設定レジスタ
１２、１０１２    第２の設定レジスタ
２１、１０２１    第３の設定レジスタ
２２、１０２２    第４の設定レジスタ
１０    回線エミュレーション装置
１０１    送信側回線エミュレーション手段
１０２    受信側回線エミュレーション手段
１０１３    送信側レジスタ設定手段
１０１４    送信側レジスタ設定切替手段
１０２３    受信側レジスタ設定手段
１０２４    受信側レジスタ設定切替手段
２０    複合多重伝送装置
２１    送信側ブロック
２２    受信側ブロック
２１１    インタフェース受信部
２１２    時分割多重部
２１３    パケット生成部
２２１    インタフェース送信部
２２２    時分割分離部
２２３    パケット分離部
１２Ａ、１２Ｂ、１３Ａ、１３Ｂ    設定レジスタ
２２Ａ、２２Ｂ、２３Ａ、２３Ｂ    設定レジスタ
１２、１３、２２、２３    制御回路
３０    監視制御端末
【図１】
2014075633.tif 000003
【図２】
2014075633.tif 000004
【図３】
2014075633.tif 000005
【図４】
2014075633.tif 000006
【図５】
2014075633.tif 000007
【図６】
2014075633.tif 000008
【図７】
2014075633.tif 000009
【図８】
2014075633.tif 000010
【図９】
2014075633.tif 000011
【図１０】
2014075633.tif 000012
【図１１】
2014075633.tif 000013